(57)【要約】【課題】遊技客の好みの位置に、様々な大きさの所有物を収納することができる収納フォルダの提供をすることにある。【解決手段】遊技台の間に配置される取付ベース２に設置される収納フォルダ１０は、取付ベース２に対して摺動可能に設置された摺動支持部１５と、揺動可能に設けられた第１転倒防止部材４０と、揺動可能に設けられた第２転倒防止部材７０と、を備える。第２展開位置における第２転倒防止部材７０の幅寸法は、第１展開位置における第１転倒防止部材４０の幅寸法より、大きい。【選択図】図２
2019005135.tif 000002
【特許請求の範囲】
【請求項１】
遊技台の間に配置される取付ベースに設置される収納フォルダであって、
前記取付ベースに対して摺動可能に設置された摺動支持部と、
揺動可能に設けられた第１転倒防止部材と、
揺動可能に設けられた第２転倒防止部材と、を備え、
第２展開位置における前記第２転倒防止部材の幅寸法は、第１展開位置における前記第１転倒防止部材の幅寸法より、大きい、収納フォルダ。
【請求項２】
遊技台の間に配置される取付ベースに設置される収納フォルダであって、
前記取付ベースに対して摺動可能に設置された摺動支持部と、
揺動可能に設けられた第１転倒防止部材と、
第１展開位置において、前記第１転倒防止部材の収容範囲を仕切る上部仕切部材と、を備え、
前記上部仕切部材は、スライド可能に設けられている、収納フォルダ。
【請求項３】
さらに、前記上部仕切部材は、揺動可能に設けられている、請求項２に記載の収納フォルダ。
【請求項４】
前記上部仕切部材の揺動軸が、前記第１転倒防止部材の揺動軸の同一線上に位置する、請求項３に記載の収納フォルダ。
【請求項５】
前記第２転倒防止部材は、前記第１転倒防止部材の上側に載置する載置部を有する、請求項１に記載の収納フォルダ。
【請求項６】
さらに、揺動可能に設けられ、遊技客の第１所有物及び第２所有物がそれぞれ載置される第１載置面及び第２載置面を有する載置基部を備える、請求項１から５のいずれかに記載の収納フォルダ。
【請求項７】
さらに、前記第１転倒防止部材と前記載置基部とを連結する連結部材を備える、請求項６に記載の収納フォルダ。
【発明の詳細な説明】
【技術分野】
【０００１】
本発明は、横に並んだ２つの遊技台の間に配置される取付ベースに設置される収納フォルダに関する。
【背景技術】
【０００２】
パチンコ、パチスロ等の遊技機を取り扱う店舗では、遊技機が設置されている遊技場を喫煙エリアと禁煙エリアとに区分する等の分煙対策を行ったり、遊技場を喫煙エリアと禁煙エリアとに区分せず、喫煙の遊技客と禁煙の遊技客とが混在する状態で隣接する２つの遊技台の間に仕切り板のような手段を施して分煙対策を行ったりする。また、喫煙、禁煙とは別の観点、すなわち、一人ひとりの遊技客の占有空間を明確化して隣り合う遊技客が互いに物理的又は精神的に干渉されないことを目的として、同様の手段を施す店舗もある。
【０００３】
このような手段としては、１台の遊技機を完全に又は実質的に個室状態にするもののほかに、概ね、次の２つのタイプのものが提案されている。すなわち、仕切り板、又は、スクリーンを設ける、というものである。仕切り板については、例えば、特開２００９−２３３１３８号公報（特許文献１）に開示されている。この発明は、遊技機の台間に略コの字型の支持枠を台間に埋め込むように設け、支持枠に分煙パネルすなわち仕切り板をスライド可能に設けるというものである。スクリーンについては、例えば、特開２００８−０６２０１２号公報（特許文献２）に開示されている。この発明は、遊技機の台間の上部に通路側へ突き出したケーシングを設け、ケーシング内に巻下げ巻上げ自在なロールスクリーンを設けるというものである。
【先行技術文献】
【特許文献】
【０００４】
【特許文献１】特開２００９−２３３１３８号公報
【特許文献２】特開２００８−０６２０１２号公報
【発明の概要】
【発明が解決しようとする課題】
【０００５】
このように、仕切り板等で仕切られ、遊技客の占有空間が明確になると、遊技客が所有する所有物を収納する収納フォルダを設置できる数に制限が生じる。そこで、携帯電話、スマートフォン、財布、ペットボトル、コップ等、様々な大きさの所有物を効率よく収納することができる収納フォルダが求められている。
【０００６】
本発明は、上記の事情に鑑みなされたものであって、遊技客の好みの位置に、様々な大きさの所有物を収納することができる収納フォルダの提供をすることを目的とする。
【課題を解決するための手段】
【０００７】
本発明の目的を達成するため、本発明に係る収納フォルダは、遊技台の間に配置される取付ベースに設置される収納フォルダであって、前記取付ベースに対して摺動可能に設置された摺動支持部と、揺動可能に設けられた第１転倒防止部材と、揺動可能に設けられた第２転倒防止部材と、を備え、第２展開位置における前記第２転倒防止部材の幅寸法は、第１展開位置における前記第１転倒防止部材の幅寸法より、大きいことを特徴とする。
【０００８】
本発明の目的を達成するため、本発明に係る別の収納フォルダは、遊技台の間に配置される取付ベースに設置される収納フォルダであって、前記取付ベースに対して摺動可能に設置された摺動支持部と、揺動可能に設けられた第１転倒防止部材と、第１展開位置において、前記第１転倒防止部材の収容範囲を仕切る上部仕切部材と、を備え、前記上部仕切部材は、スライド可能に設けられている、収納フォルダことを特徴とする。
【０００９】
本発明に係る収納フォルダにおいて、さらに、上部仕切部材は、揺動可能に設けられていることを特徴とする。
【００１０】
本発明に係る収納フォルダにおいて、前記上部仕切部材の揺動軸が、前記第１転倒防止部材の揺動軸の同一線上に位置することを特徴とする。
【００１１】
本発明に係る収納フォルダにおいて、前記第２転倒防止部材は、前記第１転倒防止部材の上側に載置する載置部を有することを特徴とする。
【００１２】
本発明に係る収納フォルダにおいて、さらに、揺動可能に設けられ、遊技客の第１所有物及び第２所有物がそれぞれ載置される第１載置面及び第２載置面を有する載置基部を備えることを特徴とする。
【００１３】
本発明に係る収納フォルダにおいて、さらに、前記第１転倒防止部材と前記載置基部とを連結する連結部材を備えることを特徴とする。
【発明の効果】
【００１４】
本発明によれば、所有物を載置した状態や、載置する際に、載置基部を揺動させることができるので、遊技客の好みの位置に、様々な大きさの所有物を収納することができる収納フォルダを提供することができる。
【図面の簡単な説明】
【００１５】
【図１】本発明に係る収納フォルダを備えた仕切り体の斜視図である。
【図２】図１に示した収納フォルダの一部を拡大した斜視図である。
【図３】図２に示した収納フォルダの正面図である。
【図４】図２に示した収納フォルダの側面図である。
【図５】図２に示した収納フォルダの別の状態を示す一部を拡大した斜視図である。
【図６】図２に示した収納フォルダのさらに別の状態を示す一部を拡大した斜視図である。
【図７】図２に示した収納フォルダのさらに別の状態を示す一部を拡大した斜視図である。
【図８】本発明に係る別の収納フォルダを備えた仕切り体の斜視図である。
【図９】図８に示した収納フォルダの一部を拡大した斜視図である。
【図１０】図９に示した収納フォルダの別の状態を示す一部を拡大した斜視図である。
【図１１】図９に示した収納フォルダの正面図である。
【図１２】図９に示した収納フォルダのさらに別の状態を示す一部を拡大した斜視図である。
【図１３】図９に示した収納フォルダの側面図である。
【図１４】図１３に示した収納フォルダの別の状態を示す側面図である。
【図１５】本発明に係るさらに別の収納フォルダの正面図である。
【発明を実施するための形態】
【００１６】
以下、本発明に係る実施形態の収納フォルダについて、図面を参照しながら詳細に説明する。
図１は、本発明に係る収納フォルダ１０を備えた仕切り体の斜視図である。図２は、図１に示した収納フォルダ１０の一部を拡大した斜視図である。図３は、図２に示した収納フォルダ１０の正面図である。図４は、図２に示した収納フォルダ１０の側面図である。図５は、図２に示した収納フォルダ１０の別の状態を示す一部を拡大した斜視図である。図６は、図２に示した収納フォルダ１０のさらに別の状態を示す一部を拡大した斜視図である。図７は、図２に示した収納フォルダ１０のさらに別の状態を示す一部を拡大した斜視図である。
【００１７】
図１から図７を参照して、本発明に係る収納フォルダ１０を説明する。収納フォルダ１０は、板形状の仕切り体１の取付ベース２に設置される。
仕切り体１は、Ｘ方向に横に並んだ２つの遊技台の間に配置され、取付ベース２と、取付ベース２から、遊技台から離れる方向（Ｙ方向のうち遊技台から離れる方向）に引き出される板形状の仕切り板３とを備える。
【００１８】
取付ベース２は、上下方向（Ｚ方向）に長く、Ｘ方向（Ｙ方向及びＺ方向に直交する方向）に薄い板形状を有する。取付ベース２には、収納フォルダ１０を収容する収納容器１１が取り付けられている。遊技客が収納フォルダ１０を遊技台から離れる方向（Ｙ方向）に引っ張ったり、遊技台に近づく方向に押し込んだりすることにより、収納フォルダ１０を収納容器１１から引き出したり、収納容器１１に収納したりする。
【００１９】
図１及び図２に示すように、収納フォルダ１０は、摺動支持部１５と、第１転倒防止部材４０と、を備える。収納フォルダ１０は、さらに、載置基部６０と、第１枢軸Ｃ１と、第２枢軸Ｃ２と、第３枢軸Ｃ３と、上部仕切部材５０と、連結部材８０と、第２転倒防止部材７０と、第４枢軸Ｃ４と、第５枢軸Ｃ５とを備える。摺動支持部１５は、摺動基部２０と、摺動基部２０に対して揺動可能に接続した揺動基部３０とを有する。
【００２０】
摺動基部２０は、矩形状を有する支持部本体２１を有し、取付ベース２に対して摺動可能に、取付ベース２に取り付けられた収納容器１１に設置されている。
【００２１】
収納容器１１は、直方体形状を有し、遊技客が遊技台から離れる側（Ｙ方向のうち、遊技台から離れる側）に開口部１１ａを有する摺動穴が形成されている。摺動穴は、開口部１１ａから摺動基部２０が摺動可能な矩形状の穴である。
【００２２】
摺動穴の側面には、Ｙ方向に伸びる複数のスリット１２が形成されている。また、摺動支持部１５の支持部本体２１の側面には、複数の突起２２が形成されている。そして、複数の突起２２は、それぞれ、複数のスリット１２に案内可能に差し込まれている。これにより、摺動基部２０は、Ｙ方向に略平行移動のみすることができ、ひいては、摺動基部２０は、揺動基部３０が取付ベース２に格納した格納状態及び揺動基部３０が取付ベース２から露出した露出状態となるように、取付ベース２に対してＹ方向に略平行に摺動することができる。ここで、図１から図７は、揺動基部３０が取付ベース２から露出した露出状態を示している。
【００２３】
図２に示すように、揺動基部３０は、摺動基部２０に対して揺動可能に設置されている。また、収納フォルダ１０は、揺動基部３０と摺動支持部１５とを軸支し、上下方向（Ｚ方向）に伸びる第１枢軸Ｃ１を備える。これにより、揺動基部３０は、第１枢軸Ｃ１の周り（方向α）を揺動することができる。
【００２４】
揺動基部３０が所定の揺動角毎に位置するよう、揺動基部３０に歯車３５を形成し、摺動支持部１５に歯車３５の歯と歯との間に差し込むように直線移動し、歯車３５に向けて付勢力が付与される、くさび形状のストッパ２５を形成することにより、揺動基部３０を歯車３５のピッチ毎に揺動させることができる。なお、摺動支持部１５に歯車３５を形成し、揺動基部３０にストッパ２５を形成してもよい。また、揺動基部３０は、摺動支持部１５に対して揺動可能に設置されているので、揺動基部３０の揺動の程度によっては、方向Ｒと方向Ｙとは、一致しない。
【００２５】
揺動基部３０は、板形状を有し、Ｙ方向において遊技台とは反対側の端部に取手３１が形成されている。また、揺動基部３０は、一方の側面に凹部３２が形成されている。凹部３２の底部には、後述する上部仕切部材５０の上側の一部を収容することができる開口３３が形成されている。凹部３２の下側は、後述する載置基部収納位置に位置した載置基部６０を収納する収納領域３２ａとされ、凹部３２の上側は、後述する第１収納位置に位置した第１転倒防止部材４０を収納する収納領域３２ｂとされ、凹部３２の収納領域３２ａ及び収納領域３２ｂとは反対側は、第２転倒防止部材７０を収納する収納領域３２ｃとされる。収納領域３２ａには、第１枢軸Ｃ１に直交する第２枢軸Ｃ２が形成され、収納領域３２ｂには、第１枢軸Ｃ１に直交する第３枢軸Ｃ３が形成されている。第２枢軸Ｃ２と第３枢軸Ｃ３とは互いに平行であることが好ましい。
【００２６】
載置基部６０は、載置基部展開位置と載置基部収納位置との間を揺動可能に摺動支持部１５に設けられている。載置基部６０は、上面に凹部を有する板形状を有し、凹部内に、載置基部展開位置において、遊技客の第１所有物及び第２所有物がそれぞれ載置される第１載置面６１及び第２載置面６２を有する。ここで、遊技客の第１所有物は、例えば、財布、化粧品が入ったポーチ等、手のひらサイズの大きさの物である。遊技客の第２所有物は、第１所有物より小さく、例えば、携帯電話、スマートフォン等、板状の物である。
【００２７】
載置基部展開位置は、第１載置面６１が水平になる位置であり、載置基部収納位置は第１載置面６１が垂直になる位置である。載置基部収納位置にある載置基部６０は、収納領域３２ａに収容される。
【００２８】
載置基部６０は、載置基部展開位置と載置基部収納位置との間を揺動可能に、揺動基部３０に第２枢軸Ｃ２で軸支されている。載置基部６０の第２枢軸Ｃ２とは反対側の端部６３（載置基部６０の摺動支持部１５とは反対側の端部６３）には、第２枢軸Ｃ２と平行に伸びる第４枢軸Ｃ４が配置されている。
【００２９】
第１転倒防止部材４０は、載置基部６０が載置基部展開位置にあるとき、第１載置面６１の上方に位置している。第１転倒防止部材４０は、第１転倒防止部材４０を第１展開位置と第１収納位置とに揺動可能に、揺動基部３０に第３枢軸Ｃ３で軸支されている。
【００３０】
第１転倒防止部材４０は、第１所有物が転倒しないように、第１展開位置において、第１転倒防止部材に収納された第１所有物の側に位置する。具体的には、第１転倒防止部材４０は、第１所有物が転倒しないように、遊技客の所有物１の上部を囲む開口部４２を有する略矩形の枠部材４１で形成されている。第１転倒防止部材４０の枠部材４１の一方の側部は、第３枢軸Ｃ３で軸支され、他方の側部は、第３枢軸Ｃ３と平行に伸びる第５枢軸Ｃ５が配置されている。
【００３１】
第１展開位置は、第１転倒防止部材４０が水平になる位置であり、第１収納位置は第１転倒防止部材４０が垂直になる位置である。第１収納位置にある第１転倒防止部材４０は、収納領域３２ｂに収容される。
【００３２】
上部仕切部材５０は、第１転倒防止部材４０にスライド可能に架けられている。上部仕切部材５０は、方向Ｒにスライド可能に架けられているが、Ｘ方向にスライド可能に架けられていてもよい。上部仕切部材５０は、仕切本体５１と、仕切本体５１の一方の端部に形成された軸支持部５５とを有する。仕切本体５１は棒形状を有する。軸支持部５５は、第３枢軸Ｃ３の伸びる方向（方向Ｒ）にスライド可能（図４及び図５）に軸支されている。枠部材４１の軸支持部５５とは反対側の端部は、枠部材４１の第５枢軸Ｃ５の近傍に載置されている。このため、軸支持部５５は、さらに、第３枢軸Ｃ３の周りを揺動可能（図６）に、軸支されている。したがって、上部仕切部材５０は、仕切部材展開位置と仕切部材収納位置との間を揺動可能に摺動支持部１５に設けられている。また、上部仕切部材５０の揺動軸が、第１転倒防止部材の揺動軸の同一線上に位置しているが、第１転倒防止部材の揺動軸と異なる位置にあってもよい。
【００３３】
図４及び図５に示すように、上部仕切部材５０は、方向Ｒにスライドすることができるので、開口部４２の内側の範囲を上部仕切部材５０で２分割することができ、第１所有物より小さい遊技客の２つの第３所有物（例えば、コップ、ペットボトル等）をそれぞれ、２分割された範囲に収納することができる。また、上部仕切部材５０を方向Ｒにスライドさせることにより、２分割された開口部４２の範囲の割合を変えることができ、互いに異なる大きさの２つの第３所有物を、それぞれ、互いに異なる大きさの２つ範囲に収納することができる。
【００３４】
また、図６に示すように、第１転倒防止部材４０に載置された上部仕切部材５０のみを第３枢軸Ｃ３の周りを揺動させることにより、収納領域３２ｂに収納させることができる。これにより、遊技客は、財布、化粧品が入ったポーチ等、手のひらサイズの大きさの物である第１所有物を開口部４２の内側の全体の範囲を用いて収納することができる。
【００３５】
図２に示すように、第２転倒防止部材７０は、載置基部６０が載置基部展開位置にあるとき、第２載置面６２の上方に位置している。第２転倒防止部材７０は、第２転倒防止部材７０を第２展開位置と第２収納位置とに揺動可能に、揺動基部３０に設けられた第６枢軸Ｃ６で軸支されている。第６枢軸Ｃ６は、第２枢軸Ｃ２と第３枢軸Ｃ３との間にあることが好ましく、第２枢軸Ｃ２又は第３枢軸Ｃ３と同一であってもよい。換言すると、第２転倒防止部材７０の揺動軸が、載置基部６０の揺動軸又は第１転倒防止部材４０の揺動軸の同一線上に位置してもよい。
【００３６】
第２転倒防止部材７０は、第２所有物が転倒しないように、第２展開位置において、第２転倒防止部材に収納された第２所有物の側に位置する。具体的には、第２転倒防止部材７０は、遊技客の所有物２の上部の側に位置する側部７１を有する略矩形の枠部材で形成されている。第２転倒防止部材７０の枠部材４３の一方の側部は、第６枢軸Ｃ６で軸支され、他方の側部７１は、第３枢軸Ｃ３と平行に伸びている。
【００３７】
図３及び図４に示すように、第２転倒防止部材７０は、第１転倒防止部材４０の上側に形成された凹部４５に載置する載置部７４を有する。
第２収納位置は第２転倒防止部材７０が垂直になる位置である。第２収納位置にある第２転倒防止部材７０は、収納領域３２ｃに収容される。
【００３８】
第２展開位置は、第２転倒防止部材７０の側部７１が揺動基部３０から離れ、載置部７４が凹部４５に載置した際の位置であり、水平又は傾斜した状態となる位置である。
第２転倒防止部材７０は、第６枢軸Ｃ６の周りを揺動するが、載置部７４が凹部４５に載置すると、それより下側に揺動することができなくなる。
第２展開位置にある第２転倒防止部材７０の摺動支持部１５とは反対側の端部である側部７１は、載置基部展開位置において、載置基部６０の摺動支持部１５とは反対側の端部６３より外側に位置することが好ましい。
【００３９】
図３に示すように、第２展開位置にある第２転倒防止部材７０の側部７１と摺動支持部１５との間の（第２転倒防止部材７０の揺動軸に直交する方向すなわちX方向における）幅寸法Ｘ２は、第１展開位置にある第１転倒防止部材４０と摺動支持部１５との間の（第１転倒防止部材４０の揺動軸に直交する方向すなわちX方向における）幅寸法Ｘ１より大きいことが好ましい。
【００４０】
連結部材８０は、第４枢軸Ｃ４と第５枢軸Ｃ５とに軸支され、載置基部６０と第１転倒防止部材４０とを連結する。また、載置基部６０と、第１転倒防止部材４０とは、略平行移動するように、第４枢軸Ｃ４と第５枢軸Ｃ５との間の距離は、第２枢軸Ｃ２と第３枢軸Ｃ３との間の距離と略等しく、また、第２枢軸Ｃ２と第４枢軸Ｃ４との間の距離は、第３枢軸Ｃ３と第５枢軸Ｃ５との間の距離と略等しいことが好ましい。
【００４１】
このような収納フォルダ１０は、以下のように使用される。
収納容器１１に収納された収納フォルダ１０を使用するときは、遊技客が、収納容器１１から出ている取手３１を持ち、Ｙ方向に引っ張り、摺動基部２０を摺動させ、揺動基部３０を露出状態にする。このとき、収納領域３２ａ内にある載置基部６０は、載置基部展開位置にある。収納領域３２ｂ内にある第１転倒防止部材４０は、第１収納位置にある。第２転倒防止部材７０の載置部７４は、凹部４５と揺動基部３０の凹部３２の底面との間に挟まれているので、第２転倒防止部材７０は、収納領域３２ｃ内にあり、収納領域３２ｃ内にある第２転倒防止部材７０は、第２収納位置にある。
【００４２】
次に、載置基部６０又は第１転倒防止部材４０をＸ方向に引き出す。これにより、載置基部６０が収納領域３２ａから引き出されると、第１転倒防止部材４０も収納領域３２ｂから引き出され、やがて、載置基部６０は、載置基部展開位置に揺動し、第１転倒防止部材４０も第１展開位置に揺動する。第１転倒防止部材４０が収納領域３２ｂから離れるに従って凹部４５と揺動基部３０の凹部３２の底面との間の距離が広がり、略垂直状態である第２収納位置にある第２転倒防止部材７０は、自重により、載置部７４が凹部４５に載置されながら、第１転倒防止部材４０の揺動とともに第６枢軸Ｃ６の周りを揺動する。同様に、上部仕切部材５０も第３枢軸Ｃ３の周りを揺動する。
【００４３】
図３に示すように、揺動基部３０から距離Ｘ２の範囲内に遊技客の体等の障害物がない場合、載置基部６０は、載置基部展開位置に揺動すると、第２転倒防止部材７０も第２展開位置に揺動する。しかし、揺動基部３０から距離Ｘ２の範囲内に障害物がある場合、載置基部６０は、載置基部展開位置まで揺動しても、第２転倒防止部材７０は、第２転倒防止部材７０が障害物に接触し、載置された状態になる。このため、載置部７４が凹部４５から離れ、第２転倒防止部材７０の自重による揺動が規制され、第２転倒防止部材７０が第２展開位置まで揺動せずに、図７に示すように、例えば、第２転倒防止部材７０は、第２転倒防止部材７０の側部７１が揺動基部３０から距離Ｘ２と同じ距離Ｘ２’の位置になるまで揺動する。
【００４４】
すなわち、第２転倒防止部材７０には突起状の載置部７４が出ており、載置部７４が第１転倒防止部材４０の上側である凹部４５に単純に載っており、収納状態では、載置部７４が凹部４５に載った状態で第１転倒防止部材４０と第２転倒防止部材７０とが収納され、第１転倒防止部材４０を展開（揺動）すると、載置部７４が凹部４５に載った状態を維持しながら第２転倒防止部材７０も展開（揺動）する。このとき、展開する第２転倒防止部材７０が途中で障害物に接触して揺動が止まっても、凹部４５に載った載置部７４が凹部４５から離れるので、単独で第１転倒防止部材４０を水平位置（展開位置）まで揺動することができる。
【００４５】
このように、障害物がない場合は、第１転倒防止部材４０は、幅寸法Ｘ１の収納領域を形成し、第２転倒防止部材７０は、幅寸法Ｘ１より幅が広い幅寸法Ｘ２の収納領域を形成する。他方、障害物があっても、第１転倒防止部材４０が、幅寸法Ｘ１の収納領域を形成することができれば、第２転倒防止部材７０は、幅寸法Ｘ１と略同じ幅寸法Ｘ２’の収納領域を形成することができる。
【００４６】
このように、障害物があっても、有効な収納領域を形成することができる。このため、所有物を載置した状態や、載置する際に、載置基部を揺動させることができるので、遊技客の好みの位置に、様々な大きさの所有物を収納することができる収納フォルダ１０を提供することができる。
【００４７】
収納フォルダ１０を収納するときは、載置基部６０が垂直位置になるように、第２枢軸Ｃ２の周りを揺動させて、揺動基部３０の収納領域３２ｂに収納する。この時、連結部材８０が載置基部６０と第１転倒防止部材４０とを連結しているので、載置基部６０の揺動にともなって、第１転倒防止部材４０及び上部仕切部材５０が第３枢軸Ｃ３の周りを揺動し、第１収納位置（垂直位置）になり、揺動基部３０の収納領域３２ａに収納する。同様に、上部仕切部材５０も、第１転倒防止部材４０に押し上げられ、第３枢軸Ｃ３の周りを揺動し、収納領域３２ｂに収納する。
第１転倒防止部材４０が第３枢軸Ｃ３の周りを揺動すると、凹部４５が載置部７４に接触し、載置部７４を押し上げる。これにより、第２転倒防止部材７０は、第６枢軸Ｃ６の周りを揺動し、収納領域３２ｃに収納される。
【００４８】
図８から図１４を参照して、本発明に係る収納フォルダ１０ａを説明する。
図８は、本発明に係る別の収納フォルダ１０ａを備えた仕切り体の斜視図である。図９は、図８に示した収納フォルダ１０ａの一部を拡大した斜視図である。図１０は、図９に示した収納フォルダ１０ａの別の状態を示す一部を拡大した斜視図である。図１１は、図９に示した収納フォルダ１０ａの正面図である。図１２は、図９に示した収納フォルダ１０ａのさらに別の状態を示す一部を拡大した斜視図である。図１３は、図９に示した収納フォルダ１０ａの側面図である。図１４は、図１３に示した収納フォルダ１０ａの別の状態を示す側面図である。
図８に示すように、本発明に係る収納フォルダ１０ａは、収納フォルダ１０と同様、板形状の仕切り体１の取付ベース２に設置される。
【００４９】
図８及び図９に示すように、収納フォルダ１０ａは、収納フォルダ１０に対して、上部仕切部材５０の形状と、第２転倒防止部材７０の形状とが異なる。
【００５０】
上部仕切部材５０は、矩形状の仕切本体５１と、仕切本体５１の一方の端部に形成された軸支持部５５とを有する。仕切本体５１には円形状の開口部５２が形成されている。軸支持部５５は、第３枢軸Ｃ３の伸びる方向（方向Ｒ）にスライド可能（図９及び図１０）に軸支されている。枠部材４１の軸支持部５５とは反対側の端部は、枠部材４１の第５枢軸Ｃ５の近傍に載置されている。このため、軸支持部５５は、さらに、第３枢軸Ｃ３の周りを揺動可能（図１２）に、軸支されている。
【００５１】
図９及び図１０に示すように、開口部５２の内径は、第１所有物より小さい遊技客の第３所有物（例えば、コップ、ペットボトル等）が転倒しないように、開口部４２の内径より小さい。
【００５２】
図１１に示すように、スリット１２の遊技台から離れる側の端部近傍１２ａは、上側に蛇行していてもよい。これにより、摺動基部２０が露出状態となると、突起２２は、端部近傍１２ａにおいて、蛇行しているスリット１２の部分を乗り超えて、最端部に移動する。これにより、露出状態となっている揺動基部３０が、遊技台に近づこうとしても、スリット１２の最端部にある突起２２は、上側に蛇行しているスリット１２を乗り越えないといけないので、遊技客が取手３１に軽く接触する等、何かの拍子に揺動基部３０の取手３１に収納容器１１に向けて押し込む弱い力が作用しても、揺動基部３０は遊技台側に殆ど移動しない。
【００５３】
図１１及び図１２に示すように、第１転倒防止部材４０に載置された上部仕切部材５０のみを第３枢軸Ｃ３の周りを揺動させることにより、収納領域３２ｂに収納させることができる。これにより、遊技客は、財布、化粧品が入ったポーチ等、手のひらサイズの大きさの物である第１所有物を収納フォルダ１０に収納することができる。
【００５４】
また、図６に示すように、第２転倒防止部材７０は、第２載置面６２に載置された第２所有物が転倒しないように、第２所有物のＸ方向の側に位置する側部７１と、側部７１を支持する支持部７２と、支持部７２を第４枢軸Ｃ４の周りを所定範囲だけ揺動するよう規制するピン８１及びスリット７３とを有する。第２転倒防止部材７０は、さらに、第２所有物のＹ方向の遊技台から離れる側に位置する棒形状の側部９３と、側部９３を揺動可能に支持する棒形状の支持部９１とを有する側部支持機構９０を備える。
【００５５】
側部９３の一端が第３枢軸Ｃ３に揺動可能に軸支され、他端が支持部９１の一端に揺動可能に軸支されている。支持部９１の他端は、第４枢軸Ｃ４に揺動可能に軸支されている。側部９３の他端と支持部９１の一端とが軸支されている位置は、第５枢軸Ｃ５の延長線上にある。このため、側部９３は、Ｘ方向から見ると、第１転倒防止部材４０と常に重なるように揺動する。
【００５６】
ピン８１は、連結部材８０に形成されている。側部７１は、載置基部６０の揺動基部３０とは反対側の端部６３より、外側の位置（図１３）と、端部６３より揺動基部３０側に寄った位置（図１４）との間を揺動する。側部７１が端部６３より外側に位置するので、幅の広い第２所有物（例えば、タブレット等）を収納することができる。
また、第２転倒防止部材７０が遊技客の体等の障害物に接触した場合、第２転倒防止部材７０は、端部６３の外側に揺動することができない。これにより、障害物がない場合は、第１転倒防止部材４０は、幅寸法Ｘ１の収納領域を形成し、第２転倒防止部材７０は、幅寸法Ｘ１より幅が広い幅寸法Ｘ２の収納領域を形成する。他方、障害物があっても、第１転倒防止部材４０が、幅寸法Ｘ１の収納領域を形成することができれば、第２転倒防止部材７０は、幅寸法Ｘ１と略同じ幅寸法Ｘ２’の収納領域を形成することができる。
【００５７】
図１５は、本発明に係るさらに別の収納フォルダ１０ｂの正面図である。
図１５を参照して、本発明に係る収納フォルダ１０ｂを説明する。収納フォルダ１０ｂは、第２転倒防止部材７０の揺動の枢軸が第５枢軸Ｃ５となっていること以外は、収納フォルダ１０ａと同じである。これにより、上下方向（方向Ｚ）における接触する側部７１の位置が載置基部６０に近いので、所有物の下側が落下することを防止することができる。
【００５８】
以上、実施の形態を用いて本発明を説明したが、本発明の技術的範囲は上記実施の形態に記載の範囲に限定されないことは言うまでもない。上記実施の形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５９】
Ｃ１〜Ｃ６  第１枢軸〜第６枢軸
１  仕切り体
２  取付ベース
３  仕切り板
１０、１０ａ、１０ｂ  収納フォルダ
１１  収納容器
１１ａ  開口部
１２  スリット
１２ａ  端部近傍
１５  摺動支持部
２０  摺動基部
２１  支持部本体
２２  突起
２５  ストッパ
３０  揺動基部
３１  取手
３２  凹部
３２ａ、３２ｂ、３２ｃ  収納領域
３３  開口
３５  歯車
４０  第１転倒防止部材
４１  枠部材
４２  開口部
４３  枠部材
４５  凹部
５０  上部仕切部材
５１  仕切本体
５２  開口部
５５  軸支持部
６０  載置基部
６１  第１載置面
６２  第２載置面
６３  端部
７０  第２転倒防止部材
７１  側部
７２  支持部
７３  スリット
７４  載置部
８０  連結部材
８１  ピン
９０  側部支持機構
９１  支持部
９３  側部
【図１】
2019005135.tif 000003
【図２】
2019005135.tif 000004
【図３】
2019005135.tif 000005
【図４】
2019005135.tif 000006
【図５】
2019005135.tif 000007
【図６】
2019005135.tif 000008
【図７】
2019005135.tif 000009
【図８】
2019005135.tif 000010
【図９】
2019005135.tif 000011
【図１０】
2019005135.tif 000012
【図１１】
2019005135.tif 000013
【図１２】
2019005135.tif 000014
【図１３】
2019005135.tif 000015
【図１４】
2019005135.tif 000016
【図１５】
2019005135.tif 000017